(57)【要約】【課題】リールに透明部を設けることなく演出のための図柄の切り換え動作を多彩かつ高速にする。【解決手段】前記左右の大径リール４０１ａ、４０１ｂの外周面には複数種類の図柄が表示されている。左右の大径リールスライド駆動機構２１１ａ、２１１ｂは、前記左右の大径リール４０１ａ、４０１ｂをそれぞれ左右の小径リール３０１ａ、３０１ｃの複数種類の図柄を覆う位置と左右の小径リール３０１ａ、３０１ｃの複数種類の図柄を露出させる左右の小径リール３０１ａ、３０１ｃの外側の位置との間で移動させるので、リールに透明部を設けることなく演出のための図柄の切り換え動作を多彩かつ高速にすることができる。【選択図】  図９
2009172167.tif 000002
【特許請求の範囲】
【請求項１】
その外周面に複数種類の図柄をリール図柄として表示する小径リールと、
前記小径リールを回転させる小径リール回転駆動手段と、
その外周面に複数種類の図柄をリール図柄として表示し、前記小径リールと回転軸を揃えた状態で、その内周面を当該小径リールの外周面に対向させた状態で当該小径リールのリール図柄を覆う位置に配置可能な大径リールと、
前記大径リールを回転させる大径リール回転駆動手段と、
前記大径リールを前記小径リールのリール図柄を覆う位置と当該小径リールのリール図柄を露出させる位置との間で移動させる大径リール移動手段と、
を備えることを特徴とする演出表示装置。
【請求項２】
それぞれの外周面に複数種類の図柄をリール図柄として表示する複数の小径リールと、
前記複数の小径リールの回転軸を揃えた状態で前記複数の小径リールを直線上に配列して回転自在に支持する小径リール支持部材と、
前記複数の小径リールをそれぞれ独立して回転させる小径リール回転駆動手段と、
それぞれの外周面に複数種類の図柄をリール図柄として表示し、前記複数の小径リールと回転軸を揃え、それぞれの内周面を前記複数の小径リールの配列における一方及び他方の端に配置した小径リールの外周面に対向させた状態で当該小径リールのリール図柄を覆う位置に配置可能な一端側及び他端側の大径リールと、
前記一端側及び他端側の大径リールをそれぞれ独立して回転させる大径リール回転駆動手段と、
前記一端側及び他端側の大径リールを、それぞれ前記配列の一方及び他方の端に配置した小径リールのリール図柄を覆う位置と当該小径リールのリール図柄を露出させる前記配列の外側の位置との間で移動させる大径リール移動手段と、
を備えることを特徴とする演出表示装置。
【請求項３】
請求項１または２に記載の演出表示装置と、
抽選に基づいて遊技媒体を払い出す遊技媒体払出手段とを備えることを特徴とする遊技機。
【発明の詳細な説明】
【技術分野】
【０００１】
本発明は、複数種類の図柄を切り換えて表示する演出表示装置及びこの演出表示装置を用いた遊技機に関する。
【背景技術】
【０００２】
従来、回胴式遊技機としてスロットマシンが知られている。一般的なスロットマシンは、前扉に形成された透明な表示窓を通して筐体内の３列のリールが目視される。各リールの周面には複数種類の図柄が配列されて描かれており、リールを回転させることで遊技の入賞又はハズレに係る図柄が変動表示される。また、スロットマシンには、リールを一斉に回転させるスタートレバーと、回転する各リールを個別に停止させるためのストップボタンが設けられ、スタートレバーが傾倒操作されて回転を開始したリールは、ストップボタンの押圧操作を契機にそれぞれ制動されて停止する。そして、各リールが表示する図柄の組合せが有効ライン上に揃うと入賞が確定し、入賞図柄の組合せに応じた数の遊技媒体（メダル）を配当するように構成されている。
【０００３】
また、近年では、演出の趣向性を向上させる目的から、メインのリールの他に演出用リールとしてサブリールを備えるものも実用化されている（例えば特許文献１参照）。
また、例えば特許文献２には、外リールの内に内リールを備え、外リールに配列された透過窓から内リールのシンボル（図柄）を観察できるようにした遊技機用シンボル表示装置の技術が開示されている。
【０００４】
【特許文献１】特開２００７−２６０４３５号公報（［００３３］、図１）
【特許文献２】特開２００５−３４２０１１号公報（［００３３］、図５、図９）
【発明の開示】
【発明が解決しようとする課題】
【０００５】
前述した従来のスロットマシンのサブリールは、回転するリールの周面に印刷された形状が異なる種類を含む複数の図柄を表示するだけであり、図柄の切り換え動作が単調であるため、十分な演出効果が得られていなかった。一方、外リールに配列された透過窓から内リールを観察できるようにした従来の遊技機用シンボル表示装置でも、透過窓から回転する内リールの図柄を観察できるだけであり、これも図柄の切り換え動作が単調であるため、十分な演出効果が得られていなかった。また、このような従来の遊技機用シンボル表示装置では、透過窓が無ければ内リールの図柄の観察が不可能になるため、外リールの透過窓がスロットマシンの前面の表示窓側から外れた位置で外リールの回転が停止した場合には内リールの図柄の観察が行えず不便であった。さらに、従来の遊技機用シンボル表示装置では、外リールの透明な透過窓が遊技者に違和感を与え易く、透過窓により演出を行うには、スロットマシンの前面の表示窓側に透過窓が来る位置まで外リールを回転させて停止させるとともに、内リールを所定の位置まで回転させる必要があり、演出のための図柄の切り換え動作に時間を要するという問題もあった。
【０００６】
本発明は、こうした従来の問題に鑑みてなされたものであり、リールに透明部を設けることなく演出のための図柄の切り換え動作を多彩かつ高速にすることができる演出表示装置及び遊技機を提供することを目的としている。
【課題を解決するための手段】
【０００７】
上述した課題を解決するため、請求項１に記載の発明は、その外周面に複数種類の図柄をリール図柄として表示する小径リールと、前記小径リールを回転させる小径リール回転駆動手段と、その外周面に複数種類の図柄をリール図柄として表示し、前記小径リールと回転軸を揃えた状態で、その内周面を当該小径リールの外周面に対向させた状態で当該小径リールのリール図柄を覆う位置に配置可能な大径リールと、前記大径リールを回転させる大径リール回転駆動手段と、前記大径リールを前記小径リールのリール図柄を覆う位置と当該小径リールのリール図柄を露出させる位置との間で移動させる大径リール移動手段と、を備えることを特徴とする。
【０００８】
請求項２に記載の発明は、それぞれの外周面に複数種類の図柄をリール図柄として表示する複数の小径リールと、前記複数の小径リールの回転軸を揃えた状態で前記複数の小径リールを直線上に配列して回転自在に支持する小径リール支持部材と、前記複数の小径リールをそれぞれ独立して回転させる小径リール回転駆動手段と、それぞれの外周面に複数種類の図柄をリール図柄として表示し、前記複数の小径リールと回転軸を揃え、それぞれの内周面を前記複数の小径リールの配列における一方及び他方の端に配置した小径リールの外周面に対向させた状態で当該小径リールのリール図柄を覆う位置に配置可能な一端側及び他端側の大径リールと、前記一端側及び他端側の大径リールをそれぞれ独立して回転させる大径リール回転駆動手段と、前記一端側及び他端側の大径リールを、それぞれ前記配列の一方及び他方の端に配置した小径リールのリール図柄を覆う位置と当該小径リールのリール図柄を露出させる前記配列の外側の位置との間で移動させる大径リール移動手段と、を備えることを特徴とする。
【０００９】
請求項３に記載の発明は、遊技機であって、請求項１または２に記載の演出表示装置と、抽選に基づいて遊技媒体を払い出す遊技媒体払出手段とを備えることを特徴とする。
【００１０】
請求項１に記載の発明によれば、大径リール移動手段が、複数種類の図柄を表示した前記大径リールを前記小径リールのリール図柄を覆う位置と当該小径リールのリール図柄を露出させる位置との間で移動させるので、この場合の移動を回転移動に比べて高速化が容易なスライド移動で行え、大径リールに透明部を設けることなく演出のための図柄の切り換え動作を多彩かつ高速にすることができる。
【００１１】
請求項２に記載の発明によれば、大径リール移動手段が、複数種類の図柄を表示した前記一端側及び他端側の大径リールをそれぞれ前記配列の一方及び他方の端に配置した小径リールのリール図柄を覆う位置と当該小径リールのリール図柄を露出させる前記配列の外側の位置との間で移動させるので、この場合の移動を回転移動に比べて高速化が容易なスライド移動で行え、大径リールに透明部を設けることなく演出のための図柄の切り換え動作を多彩かつ高速にすることができる。
【００１２】
請求項３に記載の発明によれば、抽選に基づいて遊技媒体を払い出すに遊技機に用いられる演出表示装置おいて、リールに透明部を設けることなく演出のための図柄の切り換え動作を多彩かつ高速にすることができる。
【発明の効果】
【００１３】
本発明の演出表示装置及び遊技機によれば、リールに透明部を設けることなく演出のための図柄の切り換え動作を多彩かつ高速にすることができ、遊技者が遊技に倦怠感を感じるのを防止して、遊技者に好印象を与えることができる。
【発明を実施するための最良の形態】
【００１４】
以下、本発明に係る演出表示装置及び遊技機の好適な一実施形態をスロットマシンを例に図面を参照して説明する。なお、図１はスロットマシン１の外観構造を表した斜視図である。図２はスロットマシン１の外観構造を表した正面図である。図３は前扉３を開放した状態におけるスロットマシン１の内部構造を表した図である。図４はスロットマシン１の制御システムを表したブロック図である。
【００１５】
図１において、スロットマシン１は、前方に開口を有する略矩形状の箱体である外装筐体２と、当該外装筐体２に対して蝶番機構により回動可能に取付けられることで前記開口を開閉可能な状態で閉塞させる前扉３と、遊技の入賞に係るメインリールユニット１００と、演出表示装置としてのサブリールユニット２００とを備えている。
【００１６】
図１及び図２において、前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６０が一体的に形成されたメダル受皿部６が設けられている。
【００１７】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００１８】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して外装筐体２内に設けられているサブリールユニット２００が目視されるようになっている。サブリールユニット２００は、スロットマシン１の演出表示装置となっている。
【００１９】
上部パネル部４の上部には、高輝度発光ダイオード等のランプ類を内蔵する演出用照明部４６と、ゲームに係る効果音を発生させるスピーカを内蔵する演出用放音部４８ａ、４８ｂが配置されている。
【００２０】
スロットマシン１は、ゲームの進行に応じて上述した演出用照明部４６等が点灯又は点滅することで、ゲームにおける視覚的な演出効果を高めるように形成されている。
【００２１】
また、演出用放音部４８ａ、４８ｂの間には、透明な硬質プラスチック板等が嵌め込まれて形成された表示窓４９に面してメインリールユニット１００が配置されている。
スロットマシン１は、このような表示窓４９を通して前扉３の内側面に取付けられたメインリールユニット１００の左中右のリール１０１ａ、１０１ｂ、１０１ｃが目視されるようになっている。
【００２２】
ここで、メインリールユニット１００は、円筒形状の左中右のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４９を通して３列のリールに描かれたそれぞれ上下方向３個の図柄を目視できる。
【００２３】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２４】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２５】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２６】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２７】
さらに、操作卓７の前面の左隅には、ゲームに賭けられたメダルをキャンセルして払い出させることを指示するとともに、後述するメダルクレジット手段１３５（図４参照）が内部貯留したメダルを精算して払い出させることを指示するための精算ボタン７７が設けられている。
【００２８】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって外装筐体２に取付けられている前扉３を前方へ開くことができ、また前扉３を外装筐体２側に閉じると、自動的にこれらを施錠するようになっている。
【００２９】
下部パネル部５には、スロットマシン１のモデルタイプを遊技者へ認識させる等のため、登場キャラクターの絵などを表示する表示パネル５１が設けられている。
【００３０】
下部パネル部５の下側に配置されたメダル受皿部６には、入賞時にメダルを払い出すメダル払出口６１と、払い出されたメダルを貯留するメダル受皿６０と、演出効果音を発生させるスピーカを内蔵する左右の演出用放音部６２ａ、６２ｂとが配置されている。
【００３１】
次に、図３を参照して、外装筐体２の内部構造と前扉３の裏面構造とを説明する。
図３において、外装筐体２の前方には開口８を有している。この開口８内の上部には、硬質プラスチックの基板ケース８０に収納された主制御基板２０が取付けられている。主制御基板２０は、スロットマシン１の全体動作を集中制御するＣＰＵ（マイコン）を備えている。
【００３２】
外装筐体２内の中央には、左中右の小径リール３０１ａ、３０１ｂ、３０１ｃを備えるサブリールユニット２００が設けられている。サブリールユニット２００は、前扉３が外装筐体２側に閉じられると前扉３の表示窓４２に小径リール３０１ａ、３０１ｂ、３０１ｃが対向するように、所定フレームに位置決めされて取付けられている。また、サブリールユニット２００は、左右にスライド可能な大径リール４０１ａ、４０１ｂが設けられている。なお、各リール３０１ａ、３０１ｂ、３０１ｃ、４０１ａ、４０１ｂは、それぞれに内蔵されたリールモータによって回転駆動される。本実施形態では、リールモータにステッピングモータを用いている。
【００３３】
また、サブリールユニット２００の上部には、サブリールユニット２００の各リールを回転駆動する上記リールモータへ４相の駆動パルス信号を送出するリール基板２１０が取付けられており、後述のサブ制御基板４０がリール基板２１０に回胴駆動（励磁）パルスデータを送出することで、各リールの回転と制動及び停止の制御を行っている。
【００３４】
サブリールユニット２００の下方には、ホッパ装置２１と、ホッパ装置２１から溢れたメダルを収容するための補助貯留部２３と、電源ユニット２４が設けられている。電源ユニット２４の内部の右側には、いわゆる配電盤に相当する電源装置基板２５が設けられている。
【００３５】
電源ユニット２４は、ハーネスを介してホッパ装置２１及び主制御基板２０等の電気部品と電気的に接続する。また、電源ユニット２４は、前記筐体本体２の壁面に形成された貫通孔９に挿通された電源コード１０を介して筐体本体２の外部から電力が供給され、供給された電力から所定の電圧値の電力を生成してホッパ装置２１及び主制御基板２０等の電気部品に供給する。ホッパ装置２１の前面には、メダルを排出するメダル排出口２２が設けられている。
【００３６】
更に、筐体本体２の上部右側の内面に、遊技場に設置されている「ホールコンピュータ」と呼ばれる管理用コンピュータと接続可能な外部集中端子基板２６が取付けられている。
【００３７】
次に、前扉３の裏面側上部には、発光駆動部３０が配置されている。発光駆動部３０は、演出用照明部４６の光源である高輝度の発光ダイオードが複数配列され、この発光ダイオードを発光駆動する駆動回路が実装されている。
【００３８】
また、前扉３の裏面側上部には、上述の演出用放音部４８ａ、４８ｂに対向してスピーカ３２ａ、３２ｂが取付けられている。また、スピーカ３２ａ、３２ｂの間には、メインリールユニット１００が取付けられている。更に、メインリールユニット１００の裏面には、電気回路基板で形成され硬質プラスチックの基板ケース９０に収納されたサブ制御基板４０が取付けられている。
【００３９】
主制御基板２０及びサブ制御基板４０は、スロットマシン１の作動を制御する制御基板である。
また、メインリールユニット１００の上部には、各リール１０１ａ、１０１ｂ、１０１ｃ（図１参照）を回転駆動するリールモータへ４相の駆動パルス信号を送出するリール基板１１０が取付けられており、主制御基板２０がリール基板に回胴駆動（励磁）パルスデータを送出することで、各リールの回転と制動及び停止の制御を行っている。
【００４０】
サブ制御基板４０の下方には、サブリールユニット２００を目視させるための透明な表示窓４２が形成されたパネル板４７が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４１】
中央表示基板３３の下方には、メダル選別装置３４が取付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４２】
メダル選別装置３４の装置本体の下方には、メダル選別装置３４によって振り分けられた正規のメダルを外装筐体２内に設けられているホッパ装置２１へ案内するガイド部材３５と、メダル選別装置３４により排除されたメダル（又は異物）をメダル払出口６１へ案内するキャンセルシュート部材３６が設けられている。また、前扉３の裏面側下部には、ホッパ装置２１から排出されたメダルをメダル払出口６１へ案内するガイド部材３７が設けられている。更に、メダル払出口６１に隣接して、上述した演出用放音部６２ａ、６２ｂに対向するスピーカ３８ａ、３８ｂが取付けられている。
【００４３】
なお、スロットマシン１全体の動作は、外装筐体２側に設けられている主制御基板２０によって統括制御されており、サブ制御基板４０は、サブリールユニット２００による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４４】
次に、図４のブロック図を参照して、スロットマシン１に設けられている制御システムについて説明する。
図４において、主制御基板２０は、メインＣＰＵ１２０と、記憶部１２１と、乱数発生器１２２と、Ｉ／Ｆ回路１２３と、ソレノイド駆動回路１２４とを主要構成として備えている。
【００４５】
記憶部１２１は、ＲＯＭ、ＲＡＭ等の半導体メモリによって構成され、主要構成としてプログラムＲＯＭ１３１と制御ＲＡＭ１３２を有している。記憶部１２１のプログラムＲＯＭ１３１には、スロットマシンゲーム用のシステムプログラム１３３が予め記憶されている。主制御基板２０は、記憶部１２１のプログラムＲＯＭ１３１に記憶されたシステムプログラム１３３に従ってメインＣＰＵ１２０が演算処理を実行することで、スロットマシン１全体の動作を統括制御している。
【００４６】
また、記憶部１２１の制御ＲＡＭ１３２にはメダルクレジット手段１３５が設けられている。メダルクレジット手段１３５はスロットマシン１が内部貯留するメダルの数であるクレジットをメモリに記憶する。
【００４７】
また、主制御基板２０のメインＣＰＵ１２０には、中央表示基板３３及びＩ／Ｆ回路１２３を介してベットボタン７４、スタートレバー７５、ストップボタン７６ａ、７６ｂ、７６ｃ、精算ボタン７７等の操作スイッチ類が介して接続されるとともに、メダル選別装置３４の中央表示基板３３及びＩ／Ｆ回路１２３を介してメダル選別装置３４のメダルセンサ１４１が接続されている。また、主制御基板２０のメインＣＰＵ１２０には、Ｉ／Ｆ回路１２３を介してソレノイド駆動回路１２４が接続されている。ソレノイド駆動回路１２４は、中央表示基板３３を介してメダル選別装置３４のフラッパータイプソレノイド１４２が接続されている。
【００４８】
また、主制御基板２０には、電源装置基板２５が接続されている。電源装置基板２５は、主制御基板２０のメインＣＰＵ１２０からＩ／Ｆ回路１２３を介して送信されるコマンドデータに基づいてメダル払出装置であるホッパ装置２１を駆動する。スタートレバー７５は、当該スタートレバー７５の操作を検出するフォトセンサ９１を備えている。フォトセンサ９１の検出出力は、中央表示基板３３及び主制御基板２０に設けられたＩ／Ｆ回路１２３を介してメインＣＰＵ１２０に受信される。
【００４９】
ソレノイド１４２は、メダル選別装置３４に流下するコインを強制排除する場合に用いられるメダルブロッカを駆動するためのものである。メインＣＰＵ１２０は、主制御基板２０に設けられたソレノイド駆動回路１２４を制御することでソレノイド１４２のオン、オフを行う。
【００５０】
主制御基板２０のメインＣＰＵ１２０は、前記操作スイッチ類やメダル選別装置３４のメダルセンサ１４１からの出力信号によりゲームに係る操作を検出する。
【００５１】
また、主制御基板２０のメインＣＰＵ１２０は、動作モードがメダルベット待機状態となっている場合において、メダルセンサ１４１がメダルを検出した場合、検出したメダルをゲームの賭数に加算する。
【００５２】
また、主制御基板２０のメインＣＰＵ１２０は、動作モードがメダルクレジット入力待機状態となっている場合において、メダルセンサ１４１がメダルを検出した場合、検出したメダルをメダルクレジット手段１３５のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段１３５の前記クレジット数が最大値（５０）になるまでの状態のことを示している。
【００５３】
一方、左中右のリール１０１ａ、１０１ｂ、１０１ｃには、リールセンサ１０３ａ、１０３ｂ、１０３ｃが設けられている。
主制御基板２０のメインＣＰＵ１２０は、リール基板１１０及びＩ／Ｆ回路１２３を介してリールセンサ１０３ａ、１０３ｂ、１０３ｃの検出信号を受信し、各リールの基準となる回転位置を把握しながら、Ｉ／Ｆ回路１２３を介してリール基板１１０に所定の回胴駆動パルスデータを送信する。リール基板１１０は、主制御基板２０からの回胴駆動パルスデータに従って左中右のリールモータ１０２ａ、１０２ｂ、１０２ｃを回転駆動することで、各リール１０１ａ、１０１ｂ、１０１ｃの回転及び停止の動作制御を行っている。
【００５４】
また、主制御基板２０のメインＣＰＵ１２０は、入賞が確定した場合等において、Ｉ／Ｆ回路１２３及び電源装置基板２５を介してホッパ装置２１を制御することで、所定数のメダルをメダル受皿６０に払い出す。
【００５５】
さらに、主制御基板２０のメインＣＰＵ１２０は、精算ボタン７７が操作された場合、ゲームに賭けられたメダルをキャンセルしてホッパ装置２１に払い出させるとともに、メダルクレジット手段１３５（図１０参照）が内部貯留したメダルを精算してホッパ装置２１に精算前のクレジット数のメダルを払い出させる。
【００５６】
サブ制御基板４０は、主制御基板２０からの制御信号に基づいてサブリールユニット２００（図１参照）、演出用放音部６２ａ、６２ｂ（図１参照）のスピーカ３８ａ、３８ｂ等の演出装置５０を制御駆動することで、遊技者の視覚や聴覚に訴える演出をゲームの進行に応じて行っている。
【００５７】
一方、主制御基板２０の記憶部１２１のプログラムＲＯＭ１３１には、入賞抽選テーブル１３４が記憶されている。また、記憶部１２１の制御ＲＡＭ１３２には、内部当選した入賞役に対応するフラグを記憶する内部抽選フラグ記憶領域１３６が設定されている。
さらに、記憶部１２１の制御ＲＡＭ１３２には、前記入賞役を抽選する抽選確率の設定を記憶する設定記憶領域１３７が設定されている。
【００５８】
また、主制御基板２０には、乱数値のデータを発生する乱数発生器１２２がメインＣＰＵ１２０に接続した状態で設けられている。乱数発生器１２２は、Ｉ／Ｆ回路１２３と接続しており、Ｉ／Ｆ回路１２３を介したスタートレバー７５のフォトセンサ９１からの操作検出信号がスタートレバー７５の操作の検出を示したタイミングで乱数を発生される。
【００５９】
メインＣＰＵ１２０は、Ｉ／Ｆ回路１２３からの前記操作検出信号がスタートレバー７５の操作の検出を示すことを契機に乱数発生器１２２から乱数値を取得し、設定記憶領域１３７に記憶された設定に対応する入賞抽選テーブル１３４を参照することで、得られた乱数値に割り当てられた入賞役またはハズレを抽選する。そして、メインＣＰＵ１２０は、乱数値に対応する入賞役が存在すると、それを当該ゲームの入賞役として抽選結果を当選にし、記憶部１２１の内部抽選フラグ記憶領域１３６における当選した入賞役のフラグをオンにする。ここでは、かかる入賞役の抽選方法を「内部抽選」と呼んでいる。
【００６０】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。次に、遊技者がメダル投入部７１にメダルを投入し、もしくは、ベットボタン７４を押圧操作することで、スロットマシン１は、内部に貯留したメダル（クレジット）から当該ゲームに所定枚数（３枚）のメダルが賭けられゲームを準備する。
【００６１】
ゲーム準備の状態でスタートレバー７５が傾動操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ記憶領域１３６に記憶される。
【００６２】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ記憶領域１３６に記憶された内部抽選の入賞役に係る図柄の組合せとが一致しているかどうか判定する。
【００６３】
これら図柄の組合せが一致し役への入賞が確定すると、スロットマシン１は、主制御基板２０によりメダルクレジット手段１３５の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６０へ払い出す。
【００６４】
次に、図５乃至図１８を参照して本実施形態の要部となるサブリールユニット２００について説明する。
【００６５】
図５はサブリールユニット２００の分解斜視図である。図６は小径リール３００ａの分解斜視図である。図７は大径リール４００ａの分解斜視図である。図８はサブリールユニット２００のフレーム２０１の斜視図である。図９はサブリールユニット２００の斜視図である。図１０はサブリールユニット２００の正面図である。図１１はサブリールユニット２００の上面図である。図１２は大径リールスライド駆動機構８０１ａ及びその周辺部を示す断面図である。図１３はサブ制御基板４０及び演出装置５０の回路系統を示すブロック図である。図１４は大径リール４０１ａ、４０１ｂが小径リール３０１ａ、３０１ｃを覆った状態のサブリールユニット２００を示す斜視図である。図１５は大径リール４０１ａが小径リール３０１ａを覆った状態を示す説明図である。図１６はサブリールユニット２００が小径リール３０１ａ、３０１ｂ、３０１ｃのみで演出を行っている状態を示す説明図である。図１７は大径リール４０１ａ、４０１ｂの移動中の状態を示す説明図である。図１８は大径リール４０１ａ、４０１ｂと小径リール３０１ｂで演出を行っている状態を示す説明図である。
【００６６】
図５において、サブリールユニット２００は、樹脂及び金属製の板材を組合せて箱状に形成したフレーム２０１内に、各小径リール３０１ａ、３０１ｂ、３０１ｃの配列及び左右両脇の大径リール４０１ａ、４０１ｂの回転軸が水平方向の横一線上に位置するように各リール装置３００ａ、３００ｂ、３００ｃ、４００ａ、４００ｂが固定されて組み立てられている。
【００６７】
フレーム２０１は、金属を折り曲して上側の天板部２０２、下側の底板部２０３、左右側板部２０４、２０５を枠状に配置したものである。
なお、左右両脇の大径リール４０１ａ、４０１ｂは、前記複数の各小径リール３０１ａ、３０１ｂ、３０１ｃと回転軸を揃え、それぞれ内周面を小径リール３０１ａ、３０１ｃの外周面に対向させた状態で当該小径リール３０１ａ、３０１ｃの外周の位置に配置可能になっている。
【００６８】
フレーム２０１の天板部２０２には、リール基板２１０と、左右の大径リールスライド駆動機構２１１ａ、２１１ｂとが設けられている。
【００６９】
リール基板２１０は、天板部２０２の左右の中間部に配置し、各小径リール３０１ａ、３０１ｂ、３０１ｃ及び各大径リール４０１ａ、４０１ｂの回転駆動源としてのリールモータへ例えば４相の駆動パルス信号を供給する。
【００７０】
左右の大径リールスライド駆動機構２１１ａ、２１１ｂは、それぞれ天板部２０２の左側部及び右側部に配置し、左右両脇の大径リール４０１ａ、４０１ｂをそれぞれ小径リール３０１ａ、３０１ｃの複数種類の図柄を覆う位置と当該小径リール３０１ａ、３０１ｃの複数種類の図柄を露出させる前記配列の外側の位置との間で移動させる。
【００７１】
以下、３個の小径リール装置３００ａ、３００ｂ、３００ｃの内の一つとなる左小径リール装置３００ａについて詳細に説明する。
【００７２】
図６において、左小径リール装置３００ａは、円筒状の回転体の外周に複数（本実施例では２１個）の図柄６０１、６０２、６０３、６０４、６０５、６０６…を配置した左小径リール３０１ａと、左小径リール３０１ａを回転駆動する回転モータとしての左リールモータ３０２ａと、３個のバックライト用発光ダイオード３１１、３１２、３１３を縦に配列した前側のバックライト３０４ａと、フォトセンサからなるリールセンサ３０３ａと、これらが取付けられる金属製のベース板３０６ａとから主に構成されている。左小径リール装置３００ａの場合、左リールモータ３０２ａと、リールセンサ３０３ａは、ベース板３０６ａの左側に設けられている。
【００７３】
小径リール３０１ａは、リールモータ３０２ａの駆動軸３３１ａが嵌着される軸穴を有するハブ部３３２と、ハブ部３３２を中心に放射状に延びる複数本のスポーク部３３３と、スポーク部３３３の先端部分に接続されハブ部３３２の中心から同心円状に形成された環状の外リング部３３４と、この外リング部３３４と同一の径寸法を有し、複数カ所の連結部３３５を介して右側へ所定の間隔をおいて平行に位置する環状の内リング部３３６と、一つのスポーク部３３３から内側に向けて延びる舌片状の遮光片３３７とを有し、これらを骨組み体とする円筒状の回転体３３８が樹脂材料を用いた例えば射出成形により一体的に形成されている。また、回転体３３８の円筒外周に、複数の図柄６０１、６０２、６０３、６０４、６０５、６０６…が印刷された帯状のリールテープ３３９が巻回され、無端状となって外リング部３３４と内リング部３３６の端面に接着されている。
【００７４】
リールモータ３０２ａは、ベース板３０６ａの左面にボルト等で固定されている。リールモータ３０２ａの駆動軸３３１ａには、小径リール３０１ａのハブ部３３２に形成された軸穴が嵌合し固定される。これにより、小径リール３０１ａは、駆動軸３３１ａと一体的に回転するように当該駆動軸３３１ａに取付けられている。リールモータ３０２ａは、サブリールユニット２００の天板部に設けられたリール基板２１０（図９及び図１１参照）から送出される４相の駆動パルス信号に従って回転動作する。すなわち、サブ制御基板４０が所定の遊技操作に応じて回胴制御信号としてのパルスデータをリール基板２１０へ出力し、リール基板２１０（図９及び図１１参照）がそのパルスデータを相変換して電流増幅した駆動パルス信号をリールモータ３０２ａに送出することにより、それぞれに接続された小径リール３０１ａの回転及び停止の制御が行われるように構成されている。
【００７５】
また、ベース板３０６ａには、ブラケット部材３０７を介してバックライト３０４ａが取付けられている。ベース板３０６ａには、例えば白色電球またはＬＥＤ等からなる３個のバックライト用発光ダイオード３１１、３１２、３１３が下から上に並べて設けられている。バックライト３０４ａは小径リール３０１ａの内側の前方に若干斜め上を向いた状態で収容され、各バックライト用発光ダイオード３１１、３１２、３１３が前方の若干上側に位置するリールテープ３３９の裏面を照射することにより、リールテープ３３９に描かれた複数（本実施例では２１個）の図柄６０１、６０２、６０３…の内、前方の表示窓４２（図１参照）に対向する縦３個の図柄を明るく表示するように構成されている。
【００７６】
また、バックライト用発光ダイオード３１１、３１２、３１３はリール基板２１０に電気的に接続しており、遊技の進行または選択された演出パターンに応じてリール基板２１０がバックライト用発光ダイオード３１１、３１２、３１３に駆動電流を出力し、点灯または点滅の制御を行うように構成されている。
【００７７】
また、小径リール装置３００ａは、リールセンサ３０３ａがベース板３０６ａに取付けられている。小径リール装置３００ａは、小径リール３０１ａが一回転する毎に一つのスポーク部３３３に形成された遮光片３３７がリールセンサ３０３ａを遮光してリールセンサ３０３ａをオン作動するようになっている。また、リールセンサ３０３ａは、リール基板２１０を介してサブ制御基板４０と電気的に接続され、その検出信号が図３に示すサブ制御基板４０に入力されるようになっている。すなわち、サブ制御基板４０は、遮光片３３７がリールセンサ３０３ａをオン作動させる位置を小径リール３０１ａの基準位置として検出し、出力したパルスデータと照合しながら小径リール３０１ａの回転位置を常時正確に把握して回転制御を行っている。
【００７８】
なお、サブ制御基板４０は、小径リール３０１ａを停止させるとき、リールモータ３０２ａに対し、加速及び定速駆動の際に行われるフィードバックを伴ったパルス制御をせず、４相の駆動パルス信号を全て電流供給状態にして強制停止している。このため、強制停止時の小径リール３０１ａの制動量（時間・距離）は、リールモータ３０２ａの制動トルクと、小径リール３０１ａの質量（慣性モーメント）とに主に依存し、目的とする停止位置に小径リール３０１ａを停止させる制動開始のタイミングが予めサブ制御基板４０内に設定されている。
【００７９】
ベース板３０６ａの上下の端部には、前部に摘みを有する弾性係止具３０８、３０９が設けられ、弾性係止具３０８、３０９は、図５及び図８に示すフレーム２０１の天板部２０２及び底板部２０３に形成された貫通孔２０６、２０７に挿入し係止してフレーム２０１の内部に小径リール装置３００ａを収容固定するようにしている。なお、図６において、ベース板３０６ａの前方に取付けられた扇状のカバー部材３０９ａは、サブリールユニット２００をスロットマシン１の表示窓４２側から見た場合に、隣接するリール１１０との隙間から当該小径リール装置３００ａの内部機構が見えないようにするために設けられている。
【００８０】
図５において、右小径リール装置３００ｃは、左小径リール装置３００ａと左右対象の構造になっており、右リールモータ３０２ｃと、リールセンサ３０３ｃと、バックライト３０４ｃがベース板３０６ｃの右側に設けられ、カバー部材３０９ｃがベース板３０６ｃの左側に設けられている。
【００８１】
中小径リール装置３００ｂは、ベース板３０６ｃに扇状のカバー部材が設けられていないだけで他の構造は、左小径リール装置３００ａと同様なっている。
【００８２】
以下、左大径リール装置４００ａについて詳細に説明する。
図７において、左大径リール装置４００ａは、円筒状の回転体の外周に複数（本実施例では２１個）の図柄７０１、７０２、７０３、７０４、７０５、７０６…を配置した左大径リール４０１ａと、左大径リール４０１ａを回転駆動する回転モータとしての左リールモータ４０２ａと、フォトセンサからなるリールセンサ４０３ａと、これらが取付けられる金属製のベース板４０６ａとから主に構成されている。左大径リール装置４００ａの場合、左リールモータ４０２ａと、リールセンサ４０３ａの本体は、ベース板４０６ａの左側に設けられていが、左リールモータ４０２ａの回転軸４３１ａは、ベース板４０６ａに形成された貫通孔を介してベース板４０６ａの右側に突出し、リールセンサ４０３ａの発光部４４１及び４４２は、ベース板４０６ａに形成された貫通部を介してベース板４０６ａの右側に突出している。
【００８３】
大径リール４０１ａは、リールモータ４０２ａの駆動軸４３１ａが嵌着される軸穴を有するハブ部４３２と、ハブ部４３２を中心に放射状に延びる複数本のスポーク部４３３と、スポーク部４３３の先端部分に接続されハブ部４３２の中心から同心円状に形成された環状の外リング部４３４と、この外リング部４３４と同一の径寸法を有し、複数カ所の連結部４３５を介して右側へ所定の間隔をおいて平行に位置する環状の内リング部４３６と、一つのスポーク部４３３から内側に向けて延びる舌片状の遮光片４３７とを有し、これらを骨組み体とする円筒状の回転体４３８が樹脂材料を用いた例えば射出成形により一体的に形成されている。また、回転体４３８の円筒外周には、複数の図柄７０１、７０２、７０３、７０４、７０５、７０６…が印刷された帯状のリールテープ４３９が巻回され、無端状となって外リング部４３４と内リング部４３６の端面に接着されている。
【００８４】
ここで、大径リール４０１ａは、図６に示した小径リール３０１ａより大きく形成されているとともに、図７に示したハブ部４３２とスポーク部４３３がベース板４０６ａ側に設けられているので、内リング部４３６の内側から図６に示した小径リール３０１ａを収納できる。
【００８５】
リールモータ４０２ａは、ボルト等でベース板４０６ａに固定されている。リールモータ４０２ａの駆動軸４３１ａには、大径リール４０１ａのハブ部４３２に形成された軸穴が右側から嵌合し固定される。これにより、大径リール４０１ａは、駆動軸４３１ａと一体的に回転するよう当該駆動軸４３１ａに取付けられている。リールモータ４０２ａは、天板部２０２に設けられたリール基板２１０（図９及び図１１参照）から送出される４相の駆動パルス信号に従って回転動作する。すなわち、左大径リール装置４００ａは、サブ制御基板４０が所定の遊技操作に応じて回胴制御信号としてのパルスデータをリール基板２１０へ出力し、リール基板２１０がそのパルスデータを相変換して電流増幅した駆動パルス信号をリールモータ４０２ａに送出することにより、それぞれに接続された大径リール４０１ａの回転及び停止の制御が行われるように構成されている。
【００８６】
また、大径リール装置４００ａは、リールセンサ４０３ａがベース板４０６ａに取付けられており、大径リール４０１ａが一回転する毎に一つのスポーク部４３３に形成された遮光片４３７がリールセンサ４０３ａを遮光してオン作動させる。リールセンサ４０３ａは、リール基板２１０を介して図３に示すサブ制御基板４０と電気的に接続され、その検出信号がサブ制御基板４０に入力されるようになっている。すなわち、サブ制御基板４０は、図７に示す遮光片４３７がリールセンサ４０３ａをオン作動させる位置を大径リール４０１ａの基準位置として検出し、出力したパルスデータと照合しながら大径リール４０１ａの回転位置を常時正確に把握して回転制御を行っている。
【００８７】
なお、図３に示すサブ制御基板４０は、大径リール４０１ａを停止させるとき、小径リール３０１ａの場合と同様にリールモータ４０２ａに対し、加速及び定速駆動の際に行われるフィードバックを伴ったパルス制御をせず、４相の駆動パルス信号を全て電流供給状態にして強制停止している。
【００８８】
ベース板４０６ａの上下の端部には、前部に摘みを有する弾性係止具４０８、４０９が設けられている。ベース板４０６ａの弾性係止具４０８、４０９は、図５に示すフレーム２０１に設けられた左の大径リールスライド駆動機構２１１ａ及び大径リールスライド保持機構２２１ａに形成された貫通孔２１２、２２２にそれぞれ挿入し係止することで、フレーム２０１の内部に左大径リール４０１ａを収容した状態で大径リールスライド駆動機構２１１ａ及び大径リールスライド保持機構２２１ａに左大径リール装置４００ａを固定するようにしている。
【００８９】
図５において、右大径リール装置４００ｂは、左大径リール装置４００ａと左右対象の構造になっており、右リールモータ４０２ｂと、リールセンサ４０３ｂの本体がベース板４０６ｂの右側に設けられ、右リールモータ４０２ｂの回転軸と、リールセンサ４０３ｂの発光部及び受光部がベース板４０６ｂの左側に突出して設けられ、ベース板４０６ｂの左側に右大径リール４０１ｂが配置する。ベース板４０６ｂの弾性係止具４０８、４０９は、図５に示すフレーム２０１に設けられた右の大径リールスライド駆動機構２１１ｂ及び大径リールスライド保持機構２２１ｂに形成された貫通孔２１２、２２２にそれぞれ挿入し係止することで、フレーム２０１の内部に右大径リール４０１ｂを収容した状態で大径リールスライド駆動機構２１１ｂ及び大径リールスライド保持機構２２１ｂに右大径リール装置４００ｂを固定するようにしている。
【００９０】
以下、大径リールスライド駆動機構２１１ａについて詳細に説明する。
【００９１】
図８において、大径リールスライド駆動機構２１１ａは、直線駆動ユニット８０１ａと棒状部材８０２ａ、８０３ａと、取付部材８０４ａと、板状部材８０５ａと、リール取付部材８０６ａとから構成されている。直線駆動ユニット８０１ａには、左右方向に向かって棒状部材８０２ａが挿入されている。棒状部材８０２ａの右端は、取付部材８０４ａによって天板部２０２に取り付け固定されている。
【００９２】
大径リールスライド駆動機構２１１ａの前後には、天板部２０２の左側前辺を上方に折り曲げることで前後の壁部２５１ａ、２５２ａが形成されている。壁部２５１ａ、２５２ａには、スリット２５３ａ（図１０参照）、２５４ａが形成されている。スリット２５３ａ、２５４ａには棒状部材８０３ａの前側及び後側が挿入され、棒状部材８０２ａの前端及び後端が天板部２０２の前方及び後方から突出する。
【００９３】
板状部材８０５ａは、前後に長い金属板の前側及び後側を上側に折曲して取付部８１１ａ、８１２ａ（図１１参照）を形成したものである。取付部８１１ａ、８１２ａには貫通孔８１３ａ、８１４ａが形成されている。貫通孔８１３ａ、８１４ａには、棒状部材８０３ａが嵌入されている。貫通孔８１３ａ、８１４ａに棒状部材８０３ａを嵌入する場合には、板状部材８０５ａを弾性変形させて行う。
【００９４】
板状部材８０５ａの前側の下面には、リール取付部材８０６ａが熱圧着により取り付けられている。リール取付部材８０６ａの前側部は、上側に折曲されて取付部８１５ａが形成されている。取付部８１５ａには、前述の弾性係止具４０８が挿入して係止する貫通孔２１２が形成されている。
【００９５】
尚、右側の大径リールスライド駆動機構２１１ｂの直線駆動ユニット８０１ｂ、棒状部材８０２ｂ、８０３ｂ、取付部材８０４ｂ、板状部材８０５ｂ及びリール取付部材８０６ｂと、右側の壁部２５１ｂ、２５２ｂと、スリット２５３ｂ、２５４ｂは、左側の大径リールスライド駆動機構２１１ａの直線駆動ユニット８０１ａと棒状部材８０２ａ、８０３ａ、取付部材８０４ａ、板状部材８０５ａ及びリール取付部材８０６ａと、左側の壁部２５１ａ、２５２ａと、スリット２５３ａ、２５４ａに対して左右対称の構造になっている。
【００９６】
次に、大径リールスライド保持機構２２１ａについて詳細に説明する。
【００９７】
図８において、大径リールスライド保持機構２２１ａは、棒状部材８３３ａと、板状部材８３５ａと、リール取付部材８３６ａとから構成されている。
【００９８】
大径リールスライド保持機構２２１ａの前後には、底板部２０３の左側前辺を上方に折り曲げることで前後の壁部２６１ａ、２６２ａが形成されている。壁部２６１ａ、２６２ａには、スリット２６３ａ、２６４ａが形成されている。スリット２６３ａ、２６４ａには棒状部材８３３ａの前側及び後側が挿入され、棒状部材８３３ａの前端及び後端が底板部２０３の前方及び後方から突出する。
【００９９】
板状部材８３５ａは、前後に長い金属板の前側及び後側を下側に折曲して取付部８４１ａ、８４２ａを形成したものである。取付部８４１ａ、８４２ａには貫通孔８４３ａ、８４４ａが形成されている。貫通孔８４３ａ、８４４ａには、棒状部材８３３ａが嵌入されている。貫通孔８４３ａ、８４４ａに棒状部材８３３ａを嵌入する場合には、板状部材８３５ａを弾性変形させて行う。
【０１００】
板状部材８３５ａの前側の下面には、リール取付部材８３６ａが熱圧着により取り付けられている。リール取付部材８３６ａの前側部は、下側に折曲されて取付部８４５ａが形成されている。取付部８４５ａには、前述の弾性係止具４０９が挿入して係止する貫通孔２１３が形成されている。
【０１０１】
尚、右側の大径リールスライド保持機構２２１ｂの棒状部材８３３ｂ、板状部材８３５ｂ及びリール取付部材８３６ｂと、右側の前後の壁部２６１ｂ、２６２ｂと、スリット２６３ｂ、２６４ｂは、左側の大径リールスライド保持機構２２１ａの棒状部材８３３ａ、板状部材８３５ａ及びリール取付部材８３６ａと、左側の前後の壁部２６１ａ、２６２ａと、スリット２６３ａ、２６４ａに対して左右対称の構造になっている。
【０１０２】
以下、左側の直線駆動ユニット８０１ａについて詳細に説明する。
【０１０３】
図１２において、左側の直線駆動ユニット８０１ａは、上下のケース半体８５１、８５２の内部に直線ベアリング８５３、８５４と、モータ８５５と、ギア８５６、８５７、８５８と、ゴムで形成されたホイール８５９とを収納したものである。
直線ベアリング８５３、８５４は、そのリングの内側に棒状部材８０２ａが挿入されている。
【０１０４】
直線ベアリング８５３は、上側ケース半体８５１の形成された段部８６１、８６２と、下側ケース半体８５２の形成された段部８６３、８６４との間に挟まれた状態で直線駆動ユニット８０１ａの左側に固定される。
【０１０５】
直線ベアリング８５４は、上側ケース半体８５１の形成された段部８６５、８６６と、下側ケース半体８５２の形成された段部８６７、８６８との間に挟まれた状態で直線駆動ユニット８０１ａの左側に固定される。
【０１０６】
モータ８５５は、回転軸８７１を前方に向けた状態で上側ケース半体８５１の内部の右上部に固定される。モータ８５５のフレキシブル配線板８７２ａは、上側ケース半体８５１の上面右側に形成された貫通孔８６９を介して外側に延出し、図５に示したリール基板２１０と接続する。
【０１０７】
図１２において、モータ８５５の回転軸８７１には、比較的小径のギア８５６が取り付け固定されている。上側ケース半体８５１の内部のモータ８５５の左下側には、比較的大径のギア８５７が回転軸８７３により前後方向を回転軸として回転可能な状態で設けられている。ギア８５７は、ギア８５６と噛み合っている。ギア８５７の左側には、比較的大径のギア８５８が回転軸８７４により前後方向を回転軸として回転可能な状態で設けられている。ギア８５８は、ギア８５７と噛み合っている。ギア８５８は、ホイール８５９が固定して取付けられている。ホイール８５９の外周の一部分は、棒状部材８０２ａに当接している。このような構造により、モータ８５５の回転軸８７１が右回りに回転すると、ギア８５６が右回りに回転し、ギア８５７が左回りに回転し、ギア８５８とホイール８５９右回りに回転し、ホイール８５９は、棒状部材８０２ａに左方向の力を加え、直線駆動ユニット８０１ａを右側にスライドさせる。モータ８５５の回転軸８７１が左回りに回転すると、ホイール８５９は、棒状部材８０２ａに右方向の力を加え、直線駆動ユニット８０１ａを左側にスライドさせる。
【０１０８】
下側ケース半体８５２の棒状部材８０２ａより下側には、棒状部材８０３ａが貫通孔８８１、８８２（図８参照）を介して挿入されている。
【０１０９】
また、図８、図９及び図１１に示すように、右側の直線駆動ユニット８０１ｂのモータ８５５（図１２参照）のフレキシブル配線板８７２ｂは、リール基板２１０と接続する。リール基板２１０は、ハーネス８７３を介して図３に示すサブ制御基板４０と接続する。
次に、図１３のブロック図を参照して、サブ制御基板４０について説明する。
【０１１０】
図４において、サブ制御基板４０は、ＣＰＵ９２０と、記憶部９２１と、乱数発生器９２２と、Ｉ／Ｆ回路９２３と、音源ＩＣ９２４と、音源ＲＯＭ９２５と、アンプ９２６とを主要構成として備えている。
【０１１１】
記憶部９２１は、主要構成としてＲＯＭ９３１とＲＡＭ９３２を有している。記憶部９２１のＲＯＭ９３１には、スロットマシンゲーム用の演出プログラムが予め記憶されている。サブ制御基板４０は、主制御基板２０からコマンドデータを受信したタイミングで乱数発生器９２２から乱数を取得し、記憶部９２１のＲＯＭ９３１に記憶された前記乱数に対応するデータに従ってＣＰＵ９２０が演算処理を実行することで、スロットマシン１の演出を制御している。
【０１１２】
また、サブ制御基板４０には、スピーカ３２ａ、３２ｂ、３８ａ、３８ｂ及び発光駆動部３０がハーネスを介して接続されている。
【０１１３】
サブ制御基板４０は、前記取得した乱数に対応する演出内容のデータに従って発光駆動部３０を発光制御する。
【０１１４】
また、サブ制御基板４０は、前記取得した乱数に対応する演出内容のデータに従って音源ＩＣ９２４にコマンドを送信し、音源ＩＣ９２４は、受信したコマンドに基づいて音源ＲＯＭ９２５に記憶したデータを読み出して音声信号を生成し、アンプ９２６に送信する。アンプ９２６は、音源ＩＣ９２４から受信した音声信号を増幅しスピーカ３２ａ、３２ｂ、３８ａ、３８ｂから音声出力させる。
【０１１５】
また、サブ制御基板３０は、リール基板２１０を介して各小径リール３０１ａ、３０１ｂ、３０１ｃ及び左右両脇の大径リール４０１ａ、４０１ｂのリールセンサ３０３ａ、３０３ｂ、３０３ｃ、４０３ａ、４０３ｂの検出信号を入力し、前記取得した乱数に対応する演出内容のデータに従って各リールの基準となる回転位置を把握しながら、リール基板２１０に所定の回胴駆動パルスデータを送出する。リール基板２１０は、サブ制御基板４０からの回胴駆動パルスデータに従ってリールモータ３０２ａ、３０２ｂ、３０２ｃ、４０２ａ、４０２ｂを回転駆動することで、各小径リール３０１ａ、３０１ｂ、３０１ｃ及び左右両脇の大径リール４０１ａ、４０１ｂの回転及び停止の動作制御を行っている。
【０１１６】
また、サブ制御基板４０は、前記取得した乱数に対応する演出内容のデータに従ってリール基板２１０を介して各小径リール３０１ａ、３０１ｂ、３０１ｃのバックライト３０４ａ、３０４ｂ、３０４ｃの発光ダイオードの発光制御をおこなっている。
【０１１７】
さらに、サブ制御基板４０は、前記取得した乱数に対応する演出内容のデータに従ってリール基板２１０を介して大径リールスライド駆動機構２１１ａ、２１１ｂの直線駆動ユニット８０１ａ、８０１ｂの駆動制御を行っている。
【０１１８】
以下、サブリールユニット３００の詳細な動作について説明する。
図１に示すスロットマシン１が通常の状態にある場合、図１３に示すサブ制御基板４０のＣＰＵ９２０は、図９乃至図１１に示すように左側の大径リールスライド駆動機構２１１ａの直線駆動ユニット８０１ａに対して天板部２０２の左端で停止した状態を維持させ、右側の大径リールスライド駆動機構２１１ｂの直線駆動ユニット８０１ｂに対して天板部２０２の右端で停止した状態を維持させる。
【０１１９】
この状態で、図１３に示すサブ制御基板４０のＣＰＵ９２０は、スタートレバー７５が傾動操作されゲームが開始されると、主制御基板２０は、３個の各小径リール３０１ａ、３０１ｂ、３０１ｃを一斉に回転させ始める。
【０１２０】
次に、遊技者により何れかのストップボタン７６ａ、７６ｂ、７６ｃが押圧操作されることで、サブ制御基板４０のＣＰＵ９２０は、リール１０１ａ、１０１ｂ、１０１ｃが主制御基板の抽選結果とサブ制御基板４０の乱数発生器９２２からの乱数に対応して決定した図柄の組合せ各小径リール３０１ａ、３０１ｂ、３０１ｃで停止させる。停止した小径リール３０１ａ、３０１ｂ、３０１ｃにより表示される図柄の組合せが大当たりの期待度が低い組合せになった場合、ＣＰＵ９２０は、左側の大径リールスライド駆動機構２１１ａの直線駆動ユニット８０１ａに対して天板部２０２の左端で停止した状態を維持させ、右側の大径リールスライド駆動機構２１１ｂの直線駆動ユニット８０１ｂに対して天板部２０２の右端で停止した状態を維持させる。これにより、図１６に示すように、パネル面４１の表示窓４２には、各小径リール３０１ａ、３０１ｂ、３０１ｃの図柄６０１、６０２、６０３…６２１のみが表示される状態になる。この状態では、左右に大径リール４０１ａ、４０１ｂは、パネル面４１の表示窓４２が形成されていない部分の裏側に隠れた状態になる。
【０１２１】
停止した小径リール３０１ａ、３０１ｂ、３０１ｃにより表示される図柄の組合せが大当たりの期待度が高い組合せになった場合、ＣＰＵ９２０は、左側の大径リールスライド駆動機構２１１ａの直線駆動ユニット８０１ａを右側にスライドさせ、右側の大径リールスライド駆動機構２１１ｂの直線駆動ユニット８０１ｂを左側にスライドさせ、図１７に示すように、左右の小径リール３０１ａ、３０１ｃに左右の大径リール４０１ａ、４０１ｂを被せて行き、最終的に左右の大径リールスライド駆動機構２１１ａ、２１１ｂをそれぞれ取付部材８０４ａ、８０４ｂ側で停止させ、図１４、図１５及び図１８に示すように、左右の小径リール３０１ａ、３０１ｃに左右の大径リール４０１ａ、４０１ｂを完全に被せた状態にする。図１８に示す状態では、パネル面４１の表示窓４２には、中径リール３０１ｂの図柄６０１、６０２、６２１の左右に大径リール４０１ａ、４０１ｂの図柄７０１、７０２、７０３、７０４、７０５、７０６のみが表示される。
【０１２２】
以上に説明した本実施形態の構成及び動作を纏めて説明すると、スロットマシン１は、抽選に基づいて遊技媒体を払い出す遊技媒体払出手段としてホッパ装置２１を備えるとともに、演出表示装置としてサブリールユニット２００を備える。
【０１２３】
小径リール３０１ａ、３０１ｂ、３０１ｃは、それぞれの外周面に複数種類の図柄をリール図柄として表示する複数の小径リールとなっている。
【０１２４】
フレーム２０１は、前記複数の小径リール３０１ａ、３０１ｂ、３０１ｃの回転軸を揃えた状態で前記複数の小径リール３０１ａ、３０１ｂ、３０１ｃを直線上に配列して回転自在に支持する小径リール支持部材になっている。
【０１２５】
リール基板２１０及び左中右の小径リールモータ３０２ａ、３０２ｂ、３０２ｃは、前記小径リール３０１ａ、３０１ｂ、３０１ｃをそれぞれ独立して回転させる小径リール回転駆動手段になっている。
【０１２６】
左右の大径リール４０１ａ、４０１ｂは、それぞれの外周面に複数種類の図柄７０１、７０２、７０３…をリール図柄として表示し、前記複数の小径リール３０１ａ、３０１ｂ、３０１ｃと回転軸を揃え、それぞれの内周面を前記複数の小径リール３０１ａ、３０１ｂ、３０１ｃの配列の一方及び他方の端に配置した小径リール３０１ａ、３０１ｃの外周面に対向させた状態で当該小径リール小径リール３０１ａ、３０１ｃの外周の位置に配置可能な一端側及び他端側の大径リールになっている。
【０１２７】
リール基板２１０及び左右の大径リール４０１ａ、４０１ｂは、前記一端側及び他端側の大径リールをそれぞれ独立して回転させる大径リール回転駆動手段になっている。
【０１２８】
大径リールスライド駆動機構２１１ａ、２１１ｂは、前記一端側及び他端側の大径リール４０１ａ、４０１ｂをそれぞれ前記複数の小径リール３０１ａ、３０１ｂ、３０１ｃの配列の一方及び他方の端に配置した小径リール３０１ａ、３０１ｃの外周面のリール図柄を覆う位置と小径リール３０１ａ、３０１ｃの外周面のリール図柄を露出させる前記複数の小径リール３０１ａ、３０１ｃの配列の外側の位置との間で移動させる大径リール移動手段になっている。
【０１２９】
以上説明したように、図１乃至図１８に示した発明の実施形態のスロットマシン１によれば、大径リールスライド駆動機構２１１ａ、２１１ｂが、複数種類の図柄を表示した大径リール４０１ａ、４０１ｂをそれぞれ小径リール３０１ａ、３０１ｂ、３０１ｃの配列の一方及び他方の端に配置した小径リール３０１ａ、３０１ｃのリールを覆う位置と当該小径リールの外周面を露出させる前記複数の小径リール３０１ａ、３０１ｂ、３０１ｃの配列の外側の位置との間で移動させるので、この場合の移動を従来の遊技機用シンボル表示装置におけるリールの回転移動に比べて高速化が容易なスライド移動で行え、大径リール４０１ａ、４０１ｂに透明部を設けることなく演出のための図柄の切り換え動作を多彩かつ高速にすることができる。
【０１３０】
尚、図１乃至図１８に示した本発明の一実施形態では、サブリールユニット２００は、小径リールを三個、大径リールを二個設ける構成にしたが、小径リールと大径リールの個数の組合せは、小径リールを五個、大径リールを二個の組合せや、小径リールを一個、大径リールを一個の組み合せ等、各種適用可能である。小径リールを一個、大径リールを一個の組み合せの場合、大径リール移動手段は、前記大径リールを前記小径リールのリール図柄を覆う位置と当該小径リールの外周面を露出させる位置との間で移動させることになる。
【０１３１】
また、本発明は、スロットマシンに限らず、パチンコ機、メダルを使用するアレンジボール等の他の遊技機に応用することができる。
【図面の簡単な説明】
【０１３２】
【図１】図１は、本発明の一実施形態によるスロットマシンの外観構造を表した斜視図である。
【図２】図２は、本発明の一実施形態によるスロットマシンの外観構造を表した正面図である。
【図３】図３は、本発明の一実施形態による前扉を開放した状態におけるスロットマシン１の内部構造を表した図である。
【図４】図４は、本発明の一実施形態によるスロットマシンの制御システムを表したブロック図である。
【図５】図５は、本発明の一実施形態によるサブリールユニットの分解斜視図である。
【図６】図６は、本発明の一実施形態による小径リールの分解斜視図である。
【図７】図７は、本発明の一実施形態による大径リールの分解斜視図である。
【図８】図８は、本発明の一実施形態によるサブリールユニットのフレーム２０１の斜視図である。
【図９】図９は、本発明の一実施形態によるサブリールユニットの斜視図である。
【図１０】図１０は、本発明の一実施形態によるサブリールユニットの正面図である。
【図１１】図１１は、本発明の一実施形態によるサブリールユニットの上面図である。
【図１２】図１２は、本発明の一実施形態による大径リールスライド駆動機構及びその周辺部を示す断面図である。
【図１３】図１３は、本発明の一実施形態によるサブ制御基板及び演出装置の回路系統を示すブロック図である。
【図１４】図１４は、本発明の一実施形態による大径リールが小径リールを覆った状態のサブリールユニットを示す斜視図である。
【図１５】図１５は、本発明の一実施形態による大径リールが小径リールを覆った状態を示す説明図である。
【図１６】図１６は、本発明の一実施形態によるサブリールユニットが小径リールのみで演出を行っている状態を示す説明図である。
【図１７】図１７は、本発明の一実施形態による大径リールが中央に移動中している状態を示す説明図である。
【図１８】図１８は、本発明の一実施形態による大径リールと小径リールで演出を行っている状態を示す説明図である。
【符号の説明】
【０１３３】
１…スロットマシン、２…外装筐体、３…前扉、４…上部パネル部、
５…下部パネル部、６…メダル受皿部、７…操作卓、
８…開口、９…貫通孔、１０…電源コード、２０…主制御基板、
２１…ホッパ装置、２２…メダル排出口、２３…補助貯留部、
２４…電源ユニット、２５…電源装置基板、
２６…外部集中端子基板、３０…発光駆動部、
３２ａ、３２ｂ…スピーカ、３３…中央表示基板、
３４…メダル選別装置、３５…ガイド部材、
３６…キャンセルシュート部材、３７…ガイド部材、
３８ａ、３８ｂ…スピーカ、４０…サブ制御基板、４１…パネル面、
４２…表示窓、４６…演出用照明部、４７…パネル板、
４８ａ、４８ｂ…演出用放音部、４９…表示窓、５０…演出装置、
５１…表示パネル、６０…メダル受皿、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８０、９０…基板ケース、
９１…フォトセンサ、１００…メインリールユニット、
１０１ａ、１０１ｂ、１０１ｃ…リール、１２０…ＣＰＵ、
１２１…記憶部、１２２…乱数発生装置、１２３…Ｉ／Ｆ回路、
１２４…ソレノイド駆動回路、１３１…プログラムＲＯＭ、
１３２…制御ＲＡＭ、１３３…システムプログラム、
１３４…入賞抽選テーブル、１３５…メダルクレジット手段、
１３６…内部抽選フラグ記憶領域、１３７…設定記憶領域、
１４１…メダルセンサ、１４２…ソレノイド、
２００…サブリールユニット、２０１…フレーム、２０２…天板部、
２０３…底板部、２０４、２０５…側板部、２１０…リール基板、
２１１ａ、２１１ｂ…大径リールスライド駆動機構、
２１２、２１３…貫通孔、
２２１ａ、２２１ｂ…大径リールスライド保持機構、
２５１ａ、２５２ａ、２５１ｂ、２５２ｂ…壁部、
２５３ａ、２５４ａ、スリット２５３ｂ、２５４ｂ…スリット、
２６１ａ、２６２ａ、２６１ｂ、２６２ｂ…壁部、
２６３ａ、２６４ａ、２６３ｂ、２６４ｂ…スリット、
３００ａ、３００ｂ、３００ｃ、４００ａ、４００ｂ…リール装置、
３０１ａ、３０１ｂ、３０１ｃ…小径リール、
３０２ａ、３０２ｂ、３０２ｃ、４０２ａ、４０２ｂ…リールモータ、
３０４ａ、３０４ｂ、３０４ｃ…バックライト、
３０６ａ…ベース板、３０７…ブラケット部材、
３０８、３０９…弾性係止具、
３１１、３１２、３１３…発光ダイオード、３３２…ハブ部、
３３３…スポーク部、３３４…外リング部、３３５…連結部、
３３６…内リング部、３３７…遮光片、３３８…回転体、
３３９…リールテープ、４０１ａ、４０１ｂ…大径リール、
４０６ｂ…ベース板、４０８、４０９…弾性係止具、
４３１ａ…回転軸、４４１…発光部、
４４２…受光部、４３１ａ…駆動軸、４３２…ハブ部、
４３３…スポーク部、４３４…外リング部、４３５…連結部、
４３６…内リング部、４３７…遮光片、４３８…回転体、
４３９…リールテープ、
６０１、６０２、６０３、６０４、６０５、６０６…図柄、
７０１、７０２、７０３、７０４、７０５、７０６…図柄、
８０１ａ、８０１ｂ…直線駆動ユニット、
８０２ａ、８０３ａ、８０２ｂ、８０３ｂ…棒状部材、
８０４ａ、８０４ｂ、…取付部材、８０５ａ、８０５ｂ…板状部材、
８０６ａ、８０６ｂ…リール取付部材、８１１ａ、８１２ａ…取付部、
８１３ａ、８１４ａ…貫通孔、８１５ａ…取付部、
８３３ａ、８３３ｂ…棒状部材、８３５ａ、８３５ｂ…板状部材、
８３６ａ、８３６ｂ…リール取付部材、
８４１ａ、８４２ａ…取付部、８４３ａ、８４４ａ…貫通孔、
８４５ａ…取付部、８５１、８５２…ケース半体、
８５３、８５４…直線ベアリング、８５５…モータ、
８５６、８５７、８５８…ギア、８５９…ホイール、
８６１、８６２、８６３、８６４、８６５、８６６…段部、
８６７、８６８…段部、８６９…貫通孔、
８７１…回転軸、８７２…フレキシブル配線板、
８７３、８７４…回転軸、８８１、８８２…貫通孔、
９２０…ＣＰＵ、９２１…記憶部、９２２…乱数発生器、
９２３…Ｉ／Ｆ回路、９２４…音源ＩＣ、ＲＯＭ９２５…音源、
９２６…アンプ、９３１…ＲＯＭ、９３２…ＲＡＭ
【図１】
2009172167.tif 000003
【図２】
2009172167.tif 000004
【図３】
2009172167.tif 000005
【図４】
2009172167.tif 000006
【図５】
2009172167.tif 000007
【図６】
2009172167.tif 000008
【図７】
2009172167.tif 000009
【図８】
2009172167.tif 000010
【図９】
2009172167.tif 000011
【図１０】
2009172167.tif 000012
【図１１】
2009172167.tif 000013
【図１２】
2009172167.tif 000014
【図１３】
2009172167.tif 000015
【図１４】
2009172167.tif 000016
【図１５】
2009172167.tif 000017
【図１６】
2009172167.tif 000018
【図１７】
2009172167.tif 000019
【図１８】
2009172167.tif 000020